(57)【要約】【課題】作業効率を向上させることができるＳＩＰメッセージ信号のログ情報を収集するプロトコルモニタ装置を提供する。【解決手段】２つの識別子情報が対応付けられて予め記憶された識別子情報記憶手段と、ログ情報収集対象の識別子情報を入力する入力手段と、入力手段により入力された識別子情報をログ情報収集対象の第１の識別子として記憶する第１の収集対象識別子記憶手段と、第１の収集対象識別子記憶手段に記憶されている識別子情報に対応付けられている識別子情報を識別子情報記憶手段から読み出して、ログ情報収集対象の第２の識別子として記憶する第２収集対象識別子記憶手段と、送受信したＳＩＰメッセージ信号内に、第１の識別子または第２の識別子が含まれていた場合に、該ＳＩＰメッセージ信号のログ情報を収集し、収集したログ情報をログ情報記憶手段に信号ログファイルとして記憶するログ情報収集手段とを備えたこと特徴とする。【選択図】図１
2011166582.tif 000002
【特許請求の範囲】
【請求項１】
ＳＩＰメッセージ信号内に含まれる識別子に基づいてログ情報を収集するプロトコルモニタ装置であって、
収集した前記ログ情報を記憶するログ情報記憶手段と、
２つの識別子情報が対応付けられて予め記憶された識別子情報記憶手段と、
ログ情報収集対象の識別子情報を入力する入力手段と、
前記入力手段により入力された識別子情報をログ情報収集対象の第１の識別子として記憶する第１の収集対象識別子記憶手段と、
前記第１の収集対象識別子記憶手段に記憶されている前記識別子情報に対応付けられている識別子情報を前記識別子情報記憶手段から読み出して、ログ情報収集対象の第２の識別子として記憶する第２収集対象識別子記憶手段と、
送受信したＳＩＰメッセージ信号内に、前記第１の識別子または前記第２の識別子が含まれていた場合に、該ＳＩＰメッセージ信号のログ情報を収集し、収集した前記ログ情報を前記ログ情報記憶手段に信号ログファイルとして記憶するログ情報収集手段と
を備えたこと特徴とするプロトコルモニタ装置。
【請求項２】
前記ログ情報収集手段は、前記第２の識別子が前記ＳＩＰメッセージ信号内に含まれていた場合に、該第２の識別子に対応付けられた前記第１の識別子に基づくログ情報を記憶する前記信号ログファイルに前記第２の識別子に基づくログ情報を記憶することを特徴とする請求項１に記載のプロトコルモニタ装置。
【請求項３】
前記識別子記憶手段には、識別子情報として論理的な電話番号と物理的な電話番号が対応付けられて記憶されていることを特徴とする請求項１または２に記載のプロトコルモニタ装置。
【請求項４】
ＳＩＰメッセージ信号内に含まれる識別子に基づいてログ情報を収集するために、収集した前記ログ情報を記憶するログ情報記憶手段と、２つの識別子情報が対応付けられて予め記憶された識別子情報記憶手段と、ログ情報収集対象の識別子情報を入力する入力手段と、前記入力手段により入力された識別子情報をログ情報収集対象の第１の識別子として記憶する第１の収集対象識別子記憶手段と、前記第１の収集対象識別子記憶手段に記憶されている前記識別子情報に対応付けられている識別子情報を前記識別子情報記憶手段から読み出して、ログ情報収集対象の第２の識別子として記憶する第２収集対象識別子記憶手段とを備えるプロトコルモニタ装置におけるログ情報収集方法であって、
前記プロトコルモニタ装置が、
送受信したＳＩＰメッセージ信号内に、前記第１の識別子または前記第２の識別子が含まれていた場合に、該ＳＩＰメッセージ信号のログ情報を収集し、収集した前記ログ情報を前記ログ情報記憶手段に信号ログファイルとして記憶するログ情報収集ステップを
有することを特徴とするログ情報収集方法。
【請求項５】
ＳＩＰメッセージ信号内に含まれる識別子に基づいてログ情報を収集するために、収集した前記ログ情報を記憶するログ情報記憶手段と、２つの識別子情報が対応付けられて予め記憶された識別子情報記憶手段と、ログ情報収集対象の識別子情報を入力する入力手段と、前記入力手段により入力された識別子情報をログ情報収集対象の第１の識別子として記憶する第１の収集対象識別子記憶手段と、前記第１の収集対象識別子記憶手段に記憶されている前記識別子情報に対応付けられている識別子情報を前記識別子情報記憶手段から読み出して、ログ情報収集対象の第２の識別子として記憶する第２収集対象識別子記憶手段とを備えるプロトコルモニタ装置上のコンピュータにログ情報収集を行わせるログ情報収集プログラムあって、
送受信したＳＩＰメッセージ信号内に、前記第１の識別子または前記第２の識別子が含まれていた場合に、該ＳＩＰメッセージ信号のログ情報を収集し、収集した前記ログ情報を前記ログ情報記憶手段に信号ログファイルとして記憶するログ情報収集ステップを前記コンピュータに行わせることを特徴とするログ情報収集プログラム。
【発明の詳細な説明】
【技術分野】
【０００１】
本発明は、セッション制御を行うＳＩＰ（Session Initiation Protocol）を用いた通信中のログ情報収集を行うプロトコルモニタ装置、ログ情報収集方法及びログ情報収集プログラムに関する。
【背景技術】
【０００２】
従来から、あらかじめ収集対象として登録した電話番号等の識別子と、ＳＩＰ（非特許文献１参照）を用いた通信信号上の文字列とを比較し、合致した通信信号のテキスト情報を信号ログファイルに出力するプロトコルモニタ装置が知られている（例えば、非特許文献２参照）。プロトコルモニタ装置は、例えば「０１２０」から始まるフリーダイヤル等の論理番号から物理番号（例えば０４２２ｚｚｚｚｚｚ）への番号変換を伴う電話サービスをＳＩＰ−ＡＳ（ＳＩＰアプリケーションサーバ）で提供する際のログ情報の収集などに用いられる。
【先行技術文献】
【非特許文献】
【０００３】
【非特許文献１】J.Rosenberg,et al.,'SIP:Session Initiation Protocol', RFC 3261(Jun.2002)．
【非特許文献２】wireshark(http://www.wireshark.org/)
【発明の概要】
【発明が解決しようとする課題】
【０００４】
しかしながら、従来のプロトコルモニタ装置にあっては、論理番号から物理番号への番号変換処理のログ情報を収集する際には、２種類の識別子（例えばフリーダイヤルのように０１２０から始まる論理番号と実際に通話が着信する実際の電話の物理番号）の両方を登録する必要があり、ログ情報の収集は、個々の識別子ごとに独立して行われ、信号を検出するとログ情報が個々の識別子ごとに２つの信号ログファイルに記録されてしまうという問題がある。
【０００５】
図６は、従来のプロトコルモニタ装置の処理動作を示す図である。従来のプロトコルモニタ装置は、収集対象電話番号ＤＢ５にログ情報を収集するべき識別子（ここでは、０１２０ｘｘｘｘｘｘｘと０４２２ｚｚｚｚｚｚ）を保守管理者が保守端末から手動で登録しておく必要がある。この例で示す０１２０ｘｘｘｘｘｘｘは、物理番号０４２２ｚｚｚｚｚｚに対応する論理番号である。通信網内に設けられているＳ−ＣＳＣＦ（Serving-Call Session Control Function；セッション設定の制御を行う機能）からＳＩＰ−ＡＰ（ＳＩＰアプリケーションサーバ）に対してＩＮＶＩＴＥ要求が送信される（ステップＳ２１）と、プロトコルモニタ装置は、このＩＮＶＩＴＥ要求の信号内に含まれている識別子と、収集対象電話番号ＤＢ５内に登録されている識別子と照合して、信号内に含まれている識別子と、収集対象電話番号ＤＢ５内に登録されている識別子とが一致したことを検出すると、信号ログファイルにログ情報を記録する。識別子０４２２ｚｚｚｚｚｚと一致した場合は、０４２２ｚｚｚｚｚｚ用の信号ログファイル６にログ情報を記録する。
【０００６】
そして、ＳＩＰ−ＡＳが論理番号（０１２０ｘｘｘｘｘｘｘ）から物理番号（０４２２ｚｚｚｚｚｚ）への番号変換を行い、Ｓ−ＣＳＣＦに対して、ＩＮＶＩＴＥ要求を返す（ステップＳ２２）と、プロトコルモニタ装置は、このＩＮＶＩＴＥ要求の信号内に含まれている識別子と、収集対象電話番号ＤＢ５内に登録されている識別子と照合し、信号内に含まれている識別子と、収集対象電話番号ＤＢ５内に登録されている識別子とが一致したことを検出すると、信号ログファイルにログ情報を記録する。識別子０１２０ｘｘｘｘｘｘｘと一致した場合は、０１２０ｘｘｘｘｘｘｘ用の信号ログファイル７にログ情報を記録する。続いて、このＩＮＶＩＴＥ要求に対してＳ−ＣＳＣＦからＳＩＰ−ＡＳへ応答（２００  ＯＫ）を返す（ステップＳ２３）と、この応答に信号内に含まれている識別子と、収集対象電話番号ＤＢ５内に登録されている識別子と照合し、信号内に含まれている識別子と、収集対象電話番号ＤＢ５内に登録されている識別子とが一致したことを検出すると、信号ログファイルにログ情報を記録する。識別子０１２０ｘｘｘｘｘｘｘと一致した場合は、０１２０ｘｘｘｘｘｘｘ用の信号ログファイル７にログ情報を記録する。
【０００７】
このように、従来のプロトコルモニタ装置は、収集対象電話番号ＤＢ５に登録されている識別子（電話番号）と一致する識別子（電話番号）が信号内に含まれていた場合、一致した識別子毎の信号ログファイル（例えば０１２０ｘｘｘｘｘｘｘであれば、０１２０ｘｘｘｘｘｘｘ．ｌｏｇ）を生成し、その信号ログファイルにログ情報を記録するようになっていたため、論理番号を持つ物理番号であっても別の信号ログファイルにログ情報が記録される（一つの呼に関する信号ログが２つの信号ログファイルに分かれて出力される）ことになり、解析作業が煩雑になって手間がかかり、作業効率が悪いという問題がある。
【０００８】
本発明は、このような事情に鑑みてなされたもので、ＳＩＰメッセージ信号のログ情報を収集する際に、収集するべき信号中の識別子（例えば、宛先電話番号など）が論理番号と物理番号の組み合わせからなるときに、ログ情報を収集するためにこの２つの識別子を効率的に登録することができるとともに、識別子を含むＳＩＰメッセージ信号を検出した際に、そのログ情報を１つの信号ログファイルへ記録することができるプロトコルモニタ装置、ログ情報収集方法及びログ情報収集プログラムを提供することを目的とする。
【課題を解決するための手段】
【０００９】
本発明は、ＳＩＰメッセージ信号内に含まれる識別子に基づいてログ情報を収集するプロトコルモニタ装置であって、収集した前記ログ情報を記憶するログ情報記憶手段と、２つの識別子情報が対応付けられて予め記憶された識別子情報記憶手段と、ログ情報収集対象の識別子情報を入力する入力手段と、前記入力手段により入力された識別子情報をログ情報収集対象の第１の識別子として記憶する第１の収集対象識別子記憶手段と、前記第１の収集対象識別子記憶手段に記憶されている前記識別子情報に対応付けられている識別子情報を前記識別子情報記憶手段から読み出して、ログ情報収集対象の第２の識別子として記憶する第２収集対象識別子記憶手段と、送受信したＳＩＰメッセージ信号内に、前記第１の識別子または前記第２の識別子が含まれていた場合に、該ＳＩＰメッセージ信号のログ情報を収集し、収集した前記ログ情報を前記ログ情報記憶手段に信号ログファイルとして記憶するログ情報収集手段とを備えたこと特徴とする。
【００１０】
本発明は、前記ログ情報収集手段は、前記第２の識別子が前記ＳＩＰメッセージ信号内に含まれていた場合に、該第２の識別子に対応付けられた前記第１の識別子に基づくログ情報を記憶する前記信号ログファイルに前記第２の識別子に基づくログ情報を記憶することを特徴とする。
【００１１】
本発明は、前記識別子記憶手段には、識別子情報として論理的な電話番号と物理的な電話番号が対応付けられて記憶されていることを特徴とする。
【００１２】
本発明は、ＳＩＰメッセージ信号内に含まれる識別子に基づいてログ情報を収集するために、収集した前記ログ情報を記憶するログ情報記憶手段と、２つの識別子情報が対応付けられて予め記憶された識別子情報記憶手段と、ログ情報収集対象の識別子情報を入力する入力手段と、前記入力手段により入力された識別子情報をログ情報収集対象の第１の識別子として記憶する第１の収集対象識別子記憶手段と、前記第１の収集対象識別子記憶手段に記憶されている前記識別子情報に対応付けられている識別子情報を前記識別子情報記憶手段から読み出して、ログ情報収集対象の第２の識別子として記憶する第２収集対象識別子記憶手段とを備えるプロトコルモニタ装置におけるログ情報収集方法であって、前記プロトコルモニタ装置が、送受信したＳＩＰメッセージ信号内に、前記第１の識別子または前記第２の識別子が含まれていた場合に、該ＳＩＰメッセージ信号のログ情報を収集し、収集した前記ログ情報を前記ログ情報記憶手段に信号ログファイルとして記憶するログ情報収集ステップを有することを特徴とする。
【００１３】
本発明は、ＳＩＰメッセージ信号内に含まれる識別子に基づいてログ情報を収集するために、収集した前記ログ情報を記憶するログ情報記憶手段と、２つの識別子情報が対応付けられて予め記憶された識別子情報記憶手段と、ログ情報収集対象の識別子情報を入力する入力手段と、前記入力手段により入力された識別子情報をログ情報収集対象の第１の識別子として記憶する第１の収集対象識別子記憶手段と、前記第１の収集対象識別子記憶手段に記憶されている前記識別子情報に対応付けられている識別子情報を前記識別子情報記憶手段から読み出して、ログ情報収集対象の第２の識別子として記憶する第２収集対象識別子記憶手段とを備えるプロトコルモニタ装置上のコンピュータにログ情報収集を行わせるログ情報収集プログラムあって、送受信したＳＩＰメッセージ信号内に、前記第１の識別子または前記第２の識別子が含まれていた場合に、該ＳＩＰメッセージ信号のログ情報を収集し、収集した前記ログ情報を前記ログ情報記憶手段に信号ログファイルとして記憶するログ情報収集ステップを前記コンピュータに行わせることを特徴とする。
【発明の効果】
【００１４】
本発明によれば、対応付けられている少なくとも２つの識別子のいずれか一方のみをログ情報収集対象の識別子として保守管理者が手動登録すると、手動登録した識別子に対応する他の識別子を、ログ情報収集対象の識別子として、自動的に登録するようにしたため、保守管理者の登録作業を大幅に軽減することができるという効果が得られる。また、手動登録した識別子に対応する他の識別子のログ情報を、手動登録した識別子のログ情報を記録する信号ログファイルへ記録するようにしたため、対応付けられている２つの識別子のログ情報が１つのファイルに記録されることになり、ログ情報の解析作業を効率的に行うことが可能になるという効果も得られる。
【図面の簡単な説明】
【００１５】
【図１】本発明の一実施形態の構成を示すブロック図である。
【図２】図１に示す各データベース（ＤＢ）の関係を示す説明図である。
【図３】図１に示す各データベース（ＤＢ）の関係を示す説明図である。
【図４】図１に示す装置の動作を示すシーケンス図である。
【図５】図１に示す装置の動作を示すシーケンス図である。
【図６】従来技術によるプロトコルモニタ装置における情報収集動作を示すシーケンス図である。
【発明を実施するための形態】
【００１６】
以下、図面を参照して、本発明の一実施形態によるプロトコルモニタ装置を説明する。図１は同実施形態の構成を示すブロック図である。この図において、符号１は、論理番号から物理番号への電話番号変換を伴う電話サービスを提供するＳＩＰ−ＡＳ（ＳＩＰアプリケーションサーバ）であり、コンピュータ装置から構成する。符号２は、内部にＳ−ＣＳＣＦ（Serving-Call Session Control Function；セッション設定の制御を行う機能）を備えている通信網である。符号３は、電話機能を実現する端末であり、ここでは、発信を行う端末（以下、発信者端末という）である。符号４は、電話機能を実現する端末であり、ここでは、着信を行う端末（以下、着信者端末という）である。ここでは、発信者端末３の電話番号を０３ｙｙｙｙｙｙｙｙであるものとし、着信者端末４の電話番号を０４２２ｚｚｚｚｚｚであるものとする。また、着信者端末４は、論理番号として、０１２０ｘｘｘｘｘｘｘを有している。
【００１７】
符号１１は、ＳＩＰによる通信機能を実現するプロトコル機能部である。符号１２は、プロトコル機能部１１が送受信するＳＩＰメッセージ信号を入力し、プロトコルモニタの機能を実現するプロトコルモニタ機能部である。符号１３は、論理番号から物理番号への電話番号変換を行うサービス機能部である。符号１４は、加入者の情報を記憶する加入者データベース（ＤＢ）であり、少なくとも論理番号に対応する物理番号が関係付けられて記憶されている。この加入者ＤＢ１４は、サービス機能部１３が電話番号変換を行うために必要な情報が記憶されたデータベースであり、加入者が登録された時点で論理番号とこの論理番号に対応する物理番号が関係付けられて記憶されることになる。ここでは、論理番号０１２０ｘｘｘｘｘｘｘ、０１２０ａａａａａａａに対して、それぞれ物理番号０４２２ｚｚｚｚｚｚ、０８５２ｂｂｂｂｂｂが登録されているものとする。
【００１８】
符号１５は、ログ情報を収集するべき識別子（ここでは、電話番号）が保守管理者によって登録された収集対象電話番号データベース（ＤＢ）である。符号１６は、収集対象電話番号ＤＢ１５に登録されている識別子に基づいて、ログ情報を収集するべき識別子（ここでは、電話番号）を自動的に登録する収集対象電話番号データベース（ＤＢ）である。符号１７は、プロトコルモニタ機能部１２から出力するログ情報を記録する信号ログファイルである。符号１８は、保守管理者が入力操作を行うための保守端末である。
【００１９】
次に、図１に示すＳＩＰ−ＡＳ１の処理動作を説明する。始めに、図１〜図３を参照して、収集対象電話番号の自動登録動作を説明する。図２は、論理番号を収集対象の電話番号として収集対象電話番号ＤＢ１５に手動登録した場合の各データベースの関係を示す図である。図３は、物理番号を収集対象の電話番号として収集対象電話番号ＤＢ１５に手動登録した場合の各データベースの関係を示す図である。
【００２０】
まず、保守管理者が、保守端末１８からログ情報を収集するべき電話番号である収集対象電話番号を入力すると、プロトコルモニタ機能部１２は、入力された電話番号を収集対象電話番号ＤＢ１５に書き込むことにより電話番号の登録を行う。ログ情報を収集するべき電話番号が複数ある場合は、その全ての電話番号を保守端末１８から入力して、収集対象電話番号ＤＢ１５に登録しておく。論理番号を収集対象の電話番号とした場合は、図２に示すように、少なくとも０１２０ｘｘｘｘｘｘｘと０１２０ａａａａａａａを登録したものとする。また、物理番号を収集対象の電話番号とした場合は、図３に示すように、収集対象電話番号として、少なくとも０４２２ｚｚｚｚｚｚと０８５２ｂｂｂｂｂｂを登録したものとする。
【００２１】
次に、保守管理者が、保守端末１８から収集対象電話番号の自動登録処理を実行させる操作を行うと、プロトコルモニタ機能部１２は、手動で登録された収集対象電話番号ＤＢ１５内の電話番号に関係付けられている他の電話番号を加入者ＤＢ１４を参照して特定する。ここで特定する電話番号は、収集対象電話番号ＤＢ１５内に登録されている電話番号が論理番号であれば、これに対応する物理番号を特定し、収集対象電話番号ＤＢ１５内に登録されている電話番号が物理番号であれば、これに対応する論理番号を特定する（図２、図３参照）。
【００２２】
そして、プロトコルモニタ機能部１２は、特定した電話番号を加入者ＤＢ１４から読み出し、収集対象電話番号ＤＢ１６に書き込む。この処理動作を収集対象電話番号ＤＢ１５内に登録されている電話番号全てに対して行う。ただし、収集対象電話番号ＤＢ１５内に登録されている電話番号が物理番号であり、かつその物理番号が対応する論理番号を持たない場合は、収集対象電話番号ＤＢ１６に書き込むべき電話番号が存在しないため、自動登録処理を行わない。この処理動作によって、手動登録を論理番号とした場合は、図２に示すように、収集対象電話番号ＤＢ１６には、０１２０ｘｘｘｘｘｘｘに対応する０４２２ｚｚｚｚｚｚと、０１２０ａａａａａａａに対応する０８５２ｂｂｂｂｂｂが登録されることになる。また、手動登録を物理番号とした場合は、図３に示すように、収集対象電話番号ＤＢ１６には、０４２２ｚｚｚｚｚｚに対応する０１２０ｘｘｘｘｘｘｘと、０８５２ｂｂｂｂｂｂに対応する０１２０ａａａａａａａが登録されることになる。これらの自動登録処理は、保守端末１８からの操作なしに、プロトコルモニタ機能部１２が電話番号を収集対象電話番号ＤＢ１５に書き込む処理に続けて自律的に実行することも可能である。
【００２３】
次に、信号ログファイル１７にログ情報を書き込む処理動作を説明する。図４は、図１に示す装置において、ＳＩＰメッセージ信号からログ情報を収集して、信号ログファイル１７にログ情報を記録する動作を示すシーケンス図である。ここでは、収集対象電話番号ＤＢ１５には、論理番号が手動登録されているものとして説明する。まず、発信者が発信者端末３から着信者端末４の論理番号である「０１２０ｘｘｘｘｘｘ」に対する発信操作を行うと、通信網２内に設けられているＳ−ＣＳＣＦからＳＩＰ−ＡＰ１に対してＩＮＶＩＴＥ要求を送信する（ステップＳ１）と、プロトコル機能部１１は、このＩＮＶＩＴＥ要求の信号をサービス機能部１３とプロトコルモニタ機能部１２のそれぞれへ転送する。図に示すＩＮＶＩＴＥ要求において、ＳＩＰ信号の他のヘッダ及びボディは省略して図示している。また、このＩＮＶＩＴＥ要求に含まれる「Ｒ−ＵＲＩ」とはＲｅｑｕｅｓｔ−ＵＲＩ（Uniform Resource Identifier）であることを示している。
【００２４】
これを受けて、プロトコルモニタ機能部１２は、このＩＮＶＩＴＥ要求の信号内に含まれている識別子（電話番号）と、収集対象電話番号ＤＢ１５及び収集対象電話番号ＤＢ１６に登録されている識別子（電話番号）と照合し、信号内に含まれている識別子と、収集対象電話番号ＤＢ１５及び収集対象電話番号ＤＢ１６のいずれかに登録されている識別子とが一致したことを検出すると、信号ログファイル１７にログ情報を記録する。
【００２５】
図４に示す例では、信号内の「０１２０ｘｘｘｘｘｘ」が一致するため、信号ログファイル１７にログ情報を記録する。このとき、信号ログファイル１７が既に存在していれば、存在している信号ログファイル１７内に新たなログ情報を追記することにより記録する。一方、得られたログ情報が初めての電話番号に対応するログ情報であり、信号ログファイル１７が存在していない場合は、「電話番号．ｌｏｇ」というファイル名でファイルを生成して、ここ信号ログファイル１７にログ情報を記録する。図４に示す例では、０１２０ｘｘｘｘｘｘ．ｌｏｇというファイル名を生成して書き込む。ただし、信号ログファイル１７のファイル名に用いる電話番号は、手動登録した収集対象電話番号ＤＢ１５に登録されている電話番号である。得られたログ情報の電話番号が自動登録された収集対象電話番号ＤＢ１６に登録されている電話番号である場合、プロトコルモニタ機能部１２は、加入者ＤＢ１４を参照して、得られたログ情報の電話番号に関係付けられている他の電話番号（手動登録された電話番号）を用いて信号ログファイル１７を生成する。
【００２６】
この動作と並行して、サービス機能部１３は、プロトコル機能部１１からＩＮＶＩＴＥ要求の信号が転送されると、加入者ＤＢ１４を参照して、電話番号変換を行う。図４に示す例では、０１２０ｘｘｘｘｘｘを０４２２ｚｚｚｚｚｚへ変換して、プロトコル機能部１１へ返す。これを受けて、プロトコル機能部１１は、Ｓ−ＣＳＣＦ２に対して、ＩＮＶＩＴＥ要求を送信する（ステップＳ２）。このＩＮＶＩＴＥ要求の信号は、プロトコルモニタ機能部１２へも出力する。
【００２７】
これを受けて、プロトコルモニタ機能部１２は、このＩＮＶＩＴＥ要求の信号内に含まれている識別子と、収集対象電話番号ＤＢ１５及び収集対象電話番号ＤＢ１６に登録されている識別子と照合し、信号内に含まれている識別子と、収集対象電話番号ＤＢ１５及び収集対象電話番号ＤＢ１６に登録されている識別子とが一致したことを検出すると、信号ログファイル１７にログ情報を記録する。このときの電話番号は、自動登録した収集対象電話番号ＤＢ１６に登録されている電話番号（０４２２ｚｚｚｚｚｚ）であるため、プロトコルモニタ機能部１２は、加入者ＤＢ１４を参照して、得られたログ情報の電話番号に関係付けられている他の電話番号（手動登録された電話番号０１２０ｘｘｘｘｘｘ）を特定し、この電話番号のファイル名を持つ信号ログファイル１７へログ情報を記録する。このとき、信号ログファイル１７が存在していない場合は、前述した処理動作と同様にして信号ログファイル１７を生成し、その信号ログファイル１７へログ情報を記録する。
【００２８】
次に、ＳＩＰ−ＡＳ１からのＩＮＶＩＴＥ要求に対してＳ−ＣＳＣＦ２からＳＩＰ−ＡＳ１へ応答（２００  ＯＫ）を返す（ステップＳ３）と、プロトコル機能部１１は、この信号をプロトコルモニタ機能部１２へ転送する。これを受けて、プロトコルモニタ機能部１２は、この応答の信号内に含まれている識別子（電話番号）と、収集対象電話番号ＤＢ１５及び収集対象電話番号ＤＢ１６に登録されている識別子（電話番号）と照合し、信号内に含まれている識別子と、収集対象電話番号ＤＢ１５及び収集対象電話番号ＤＢ１６のいずれかに登録されている識別子とが一致したことを検出すると、信号ログファイル１７にログ情報を記録する。このとき、前述した処理動作と同様にしてログ情報を記録するべき信号ログファイル１７を特定して、その信号ログファイル１７へログ情報を記録する。
【００２９】
次に、信号ログファイル１７にログ情報を書き込む処理動作の変形例を説明する。図５は、図１に示す装置において、ＳＩＰメッセージ信号からログ情報を収集して、信号ログファイル１７にログ情報を記録する動作を示すシーケンス図である。ここでは、収集対象電話番号ＤＢ１５には、物理番号が手動登録されているものとして説明する。まず、発信者が発信者端末３から着信者端末４の論理番号である「０１２０ｘｘｘｘｘｘ」に対する発信操作を行うと、通信網２内に設けられているＳ−ＣＳＣＦからＳＩＰ−ＡＰ１に対してＩＮＶＩＴＥ要求を送信する（ステップＳ１１）と、プロトコル機能部１１は、このＩＮＶＩＴＥ要求の信号をサービス機能部１３とプロトコルモニタ機能部１２のそれぞれへ転送する。
【００３０】
これを受けて、プロトコルモニタ機能部１２は、このＩＮＶＩＴＥ要求の信号内に含まれている識別子（電話番号）と、収集対象電話番号ＤＢ１５及び収集対象電話番号ＤＢ１６に登録されている識別子（電話番号）と照合し、信号内に含まれている識別子と、収集対象電話番号ＤＢ１５及び収集対象電話番号ＤＢ１６のいずれかに登録されている識別子とが一致したことを検出すると、信号ログファイル１７にログ情報を記録する。
【００３１】
図５に示す例では、信号内の「０１２０ｘｘｘｘｘｘ」が一致するため、信号ログファイル１７にログ情報を記録する。このとき、信号ログファイル１７が既に存在していれば、存在している信号ログファイル１７内に新たなログ情報を追記することにより記録する。一方、得られたログ情報が初めての電話番号に対応するログ情報であり、信号ログファイル１７が存在していない場合は、「電話番号．ｌｏｇ」というファイル名でファイルを生成して、ここ信号ログファイル１７にログ情報を記録する。ただし、信号ログファイル１７のファイル名に用いる電話番号は、手動登録した収集対象電話番号ＤＢ１５に登録されている電話番号である。図５に示す例では、０４２２ｚｚｚｚｚｚ．ｌｏｇというファイル名を生成して書き込む。
【００３２】
この動作と並行して、サービス機能部１３は、プロトコル機能部１１からＩＮＶＩＴＥ要求の信号が転送されると、加入者ＤＢ１４を参照して、電話番号変換を行う。図５に示す例では、０１２０ｘｘｘｘｘｘを０４２２ｚｚｚｚｚｚへ変換して、プロトコル機能部１１へ返す。これを受けて、プロトコル機能部１１は、Ｓ−ＣＳＣＦ２に対して、ＩＮＶＩＴＥ要求を送信する（ステップＳ１２）。このＩＮＶＩＴＥ要求の信号は、プロトコルモニタ機能部１２へも出力する。
【００３３】
これを受けて、プロトコルモニタ機能部１２は、このＩＮＶＩＴＥ要求の信号内に含まれている識別子と、収集対象電話番号ＤＢ１５及び収集対象電話番号ＤＢ１６に登録されている識別子と照合し、信号内に含まれている識別子と、収集対象電話番号ＤＢ１５及び収集対象電話番号ＤＢ１６に登録されている識別子とが一致したことを検出すると、信号ログファイル１７にログ情報を記録する。このとき、前述した処理動作と同様にしてログ情報を記録するべき信号ログファイル１７を特定して、その信号ログファイル１７へログ情報を記録する。
【００３４】
次に、ＳＩＰ−ＡＳ１からのＩＮＶＩＴＥ要求に対してＳ−ＣＳＣＦ２からＳＩＰ−ＡＳ１へ応答（２００  ＯＫ）を返す（ステップＳ１３）と、プロトコル機能部１１は、この信号をプロトコルモニタ機能部１２へ転送する。これを受けて、プロトコルモニタ機能部１２は、この応答の信号内に含まれている識別子（電話番号）と、収集対象電話番号ＤＢ１５及び収集対象電話番号ＤＢ１６に登録されている識別子（電話番号）と照合し、信号内に含まれている識別子と、収集対象電話番号ＤＢ１５及び収集対象電話番号ＤＢ１６のいずれかに登録されている識別子とが一致したことを検出すると、信号ログファイル１７にログ情報を記録する。このとき、前述した処理動作と同様にしてログ情報を記録するべき信号ログファイル１７を特定して、その信号ログファイル１７へログ情報を記録する。
【００３５】
以上説明したように、プロトコルモニタ機能を有するＳＩＰ−ＡＳ１において、ログ情報収集したい論理番号または物理番号のいずれか一方のみを保守管理者が手動登録すると、予めＳＩＰ−ＡＳ１内に備えている番号変換用のデータベース（例えば、加入者ＤＢ１４）を参照して、手動登録した電話番号に対応する他の電話番号を読み出し、収集対象の電話番号として、自動的に登録するようにしたため、保守管理者の登録作業を大幅に軽減することができる。また、手動登録した電話番号に対応する他の電話番号のログ情報を、手動登録した電話番号のログ情報を記録する信号ログファイルへ記録するようにしたため、関係付けられている論理番号と物理番号のログ情報が１つのファイルに記録されることになり、ログ情報の解析作業を効率的に行うことが可能となる。
【００３６】
なお、図１における処理部の機能を実現するためのプログラムをコンピュータ読み取り可能な記録媒体に記録して、この記録媒体に記録されたプログラムをコンピュータシステムに読み込ませ、実行することによりログ情報収集処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【産業上の利用可能性】
【００３８】
ＳＩＰメッセージ信号のログ情報を収集する際に、１つの識別子に対して関係付けられている他の識別子とを関係付けてログ情報を収集することが不可欠な用途に適用できる。
【符号の説明】
【００３９】
１・・・ＳＩＰ−ＡＳ、１１・・・プロトコル機能部、１２・・・プロトコルモニタ機能部、１３・・・サービス機能部、１４・・・加入者ＤＢ、１５・・・収集対象電話番号（手動登録）ＤＢ、１６・・・収集対象電話番号（自動登録）ＤＢ、１７・・・信号ログファイル、１８・・・保守端末、２・・・通信網（Ｓ−ＣＳＣＦ）、３・・・発信者端末、４・・・着信者端末
【図１】
2011166582.tif 000003
【図２】
2011166582.tif 000004
【図３】
2011166582.tif 000005
【図４】
2011166582.tif 000006
【図５】
2011166582.tif 000007
【図６】
2011166582.tif 000008